(57)【要約】      （修正有）【課題】ハープ、ギター等の弦楽器の弦を弾く自動演奏機において、共通の構造をした弾弦装置を提供する。【解決手段】モータとモータに連結された減速機構と、弦１３を弾く爪１２を装着する垂直取付け立方体部材２と、爪１２の位置を検出する検出手段とそれらを支持するケース体３とを備える。ケース体３はコの字型であり、ケース体３内部には、モータに連結されて減速機構があり、外部には、第１面にはモータ、第２面には爪１２を装着する回転垂直取付け立方体部材２、第３面には爪１２の位置を検出する検出手段とケース体３を水平、垂直に取付けるための角部材取付け穴が第２面を貫通して設けある。垂直にも水平にも取り付けられる取付板と弾弦ユニットは角部材を中心に爪１２と弦１３との位置を可変できるようにした。【選択図】図３
2015203864.tif 000002
【特許請求の範囲】
【請求項１】
モータと前記モータに連結された減速機構と、弦を弾く爪を装着する垂直取付け立方体部材と、前記爪の位置を検出する検出手段とそれらを支持するケース体とを備えた弾弦ユニットであって、
前記ケース体はコの字型のものであり、
前記ケース体の内部には、前記モータに連結されて減速機構があり
前記ケース体の外部には、第１面には前記モータ、第２面には、前記爪を装着する回転垂直取付け立方体部材、第３面には、前記爪の位置を検出する検出手段と前記ケース体を水平、垂直に取付けるための角部材取付け穴が第２面を貫通して設けてある。
前記ケース体は前記角部材を中心に前記爪と弦との位置を可変できることを特徴とする弾弦ユニット
【発明の詳細な説明】
【技術分野】
【０００１】  本発明は、自動演奏楽器の弾弦装置に関する。
【背景技術】
【０００２】  従来の自動演奏楽器の弾弦装置に関し自動演奏用の弾弦装置はあった。
（例えば、特許文献１参照）
【先行技術文献】
【特許文献】
【０００３】
【特許文献１】特開平７−０６４５４３  弦楽器の弾弦、押弦装置
【発明の概要】
【発明が解決しようとする課題】
【０００４】  従来の弦を弾く装置は、特許文献１に記載されているように弦を弾く弾弦装置と同装置を駆動するための駆動装置が必要であり、多弦楽器のハープの自動演奏機では、特許文献１で図１、図２の４が弾弦装置で詳細が図３で説明されている。
また、６弦楽器のギターの自動演奏機では特許文献１で図７、図８の３８が弾弦装置で、詳細が図１５で説明されている。
多弦楽器のハープの自動演奏機と６弦楽器のギターの自動演奏機では弾弦装置が各々違っていた。【０００５】  つぎに、弾弦装置を駆動するための駆動装置は、多弦楽器のハープの自動演奏機では、図１、図２の１０のワイヤーとチューブを介して駆動ソレノイド８で駆動している。また、６弦楽器のギターの自動演奏機では図７、図８の３６のワイヤーとチューブを介して駆動ソレノイド９７で駆動している。
このため多弦楽器のハープの自動演奏機と６弦楽器のギターの自動演奏機では弾弦装置が各々違っており、駆動装置も別々に装備されていた。
この為両自動演奏機に共通の弾弦装置と駆動装置のない新しい弾弦装置が望まれていた。【０００６】  特に弦の多い楽器では、弾弦装置がコスト高になって自動演奏楽器として市場に出すには高価になっていた。
以上に述べた従来の弾弦装置では、大幅な機構の見直しとコストダウンを要望されていた。
本発明は、撥弦楽器である自動演奏機の弾鍵装置の大幅改善を図った装置である。
【課題を解決するための手段】  本発明は上記目的を達成するために【０００７】  モータと前記モータに連結された減速機構と、弦を弾く爪を装着する垂直取付け立方体部材と、前記爪の位置を検出する検出手段とそれらを支持するケース体とを備えた弾弦ユニットであって、
前記ケース体はコの字型のものであり、
前記ケース体の内部には、前記モータに連結されて減速機構があり
前記ケース体の外部には、第１面には前記モータ、第２面には、前記爪を装着する回転垂直取付け立方体部材、第３面には、前記爪の位置を検出する検出手段と前記ケース体を水平、垂直に取付けるための角部材取付け穴が第２面を貫通して設けてある。
前記ケース体は前記角部材を中心に前記爪の位置を可変できることを特徴とする弾弦ユニット
【発明の効果】
【０００８】  本発明の弾弦装置を使用することで、
ギター自動演奏機、ハープ自動演奏機等共通の弾弦装置として使用でき、駆動装置も別途設けなくてもよい
自動演奏装置の省スペースと大幅な省コストの演奏装置が実現できる。
【図面の簡単な説明】
【０００９】
【図１】  本発明の弾弦ユニットの上面図。
【図２】  図１の上方（矢印）正面図。
【図３】  図１の右側面図で弾弦ユニットのハープへの水平取付け図。
【図４】  図１の下面図（裏面）で図２の矢視図
【図５】  図１の爪１２の２個搭載図。
【図６】  弾弦ユニットのギターへの垂直取付け側面図。
【図７】  図６の矢視上面図
【図８】  弾弦ユニットのハープへの搭載説明図で側面図である。
【図９】  弾弦ユニットのハープへの搭載詳細図。
【図１０】  弾弦ユニットのギター搭載説明図で正面図である。
【図１１】  弾弦ユニットのギター搭載詳細図。
【発明を実施するための形態】
【００１０】    以下、本発明の実施の形態を図に基づいて説明する。
【実施例】
【００１１】  図１は本発明コの字型ケース体弾弦ユニットの上面図で１３は図面に垂直に張られた弦である。
弦１３を弾く爪１２は立法部材１１に図示しないネジで止められている。
図２は図１の上方（矢印）から見た正面図でモータ６はコの字型ケース３に図示しないネジで止められている。
モータ６のシャフト８にウオームギヤー７が圧入されておりギヤー９を介してシャフト１０で立法部材１１に回転を伝えている。
シャフト１０の反対側には、円柱部材１５が圧入されておりこの円柱部材１５にはコの字型ケース３に図示しないネジで止められたリーフスイッチ１４をオン、オフさせるカム１６（図４に示す）が固着されている。
リーフスイッチ１４は爪１２が弦１３を弾いたときにスイッチが入る。
コの字型ケース３は取り付けベース１に立法部材２を介して中空スペーサー４とネジ５でとめられている。【００１２】  図３は、図１の右側面図で弾弦ユニットのハープへの水平取付け図である。
モータを制御する回路基板１９は取り付けベース１に保持板１７を介して取り付けられている。【００１３】  図４は  図１の下面図（裏面）で図２の矢視図である。
図５は図１の爪１２の２個搭載図で１２Ａは２個目の爪を表す。
図４にカム１６の１８０度反対側に爪１２Ａの位置を検出するためのカム１６Ａが設けられている。【００１４】立法部材１１の回転が爪１個の場合も２個の場合も同一回転ならば、弦は２度弾かれ弾くスピードが、倍になる。弦と爪の当接量は、弾弦ユニット３をネジ５を中心に回転させると爪１２の先端は矢印１８上を動き爪が回転した時に爪１２の弦１３に当接する量を加減することが出来る。【００１５】図６は弾弦ユニットのギターへの垂直取付け側面図で、図７は図６の矢視上面図である。
取り付け立方体２４はコの字型ケース体３Ａの中に取り付けられており取り付け孔は、図６に示すよう長孔２０に加工されているため、図６の両矢印の方向に弾弦ユニット取り付板２１に対し、上下に調整することが出来るため、爪１２の弦２３に当接する量を加減することが出来る。
図７のハッチング各部財２４は、取り付けネジ２５で長孔２０にネジ止めされている。【００１６】  図８は弾弦ユニットのハープへの搭載説明図で、ハープ右側面から見ておりハープのネック３６に固定された取付板３０とフロントピラー（支柱）３１に固定された取付板３５を介して保持板２６に弾弦ユニット２８を、取付けベース２７に弾弦される弦の数だけ複数個とめられている。
ハープ弦３３はチューニングピン３２と本体で止まって張られている。
図９は弾弦ユニットのハープへの搭載詳細図で、図８の取り付けベース２７に対し垂直な方向の矢視図で垂直弦群の両面に空間があるハープでは、弦の両側に前記弾弦ユニットを配設している。【００１７】  図１０は弾弦ユニットのギター搭載説明図でギター本体の表面板２２に図６で示した保持板３８がとめられ保持板３８に弾弦ユニット取付板２１が図示しないネジで固定されている。
図１１は弾弦ユニットのギター搭載詳細図で弾弦ユニット３７を向かい合うように２列に図７に示すよう垂直に配設した。
以上説明したように本発明の弾弦装置をハープには水平に、ギターには垂直に装着することで弦の弾弦に共通して使うことができる。
【符号の説明】
【００１８】      ２３  ギターの弦
２９  サウンドボックス
３１  フロントピラー（前面支柱）
３４  欠番
３６  ネック（天面柱）
３９  サウンドホール
【図１】
2015203864.tif 000003
【図２】
2015203864.tif 000004
【図３】
2015203864.tif 000005
【図４】
2015203864.tif 000006
【図５】
2015203864.tif 000007
【図６】
2015203864.tif 000008
【図７】
2015203864.tif 000009
【図８】
2015203864.tif 000010
【図９】
2015203864.tif 000011
【図１０】
2015203864.tif 000012
【図１１】
2015203864.tif 000013